(57)【要約】【課題】チップケースの先端部位に取り付けられる基材の上に第１電極を形成し、チップケースの先端周辺部に第２電極を形成し、広い電極面積を提供できるようにした皮膚美容装置のチップ構造を提供すること。【解決手段】チップケースの先端部位に電極付き基材が取り付けられて、その電極を介して皮膚に高周波エネルギーを供給して皮膚を飾る皮膚美容装置において、前記チップケースの前方部の先端部位に取り付けられる基材に第１電極を形成し、前記チップケースの先端部位の周縁部を含む部位には第２電極が形成する。【選択図】図２
2014184138.tif 000002
【特許請求の範囲】
【請求項１】
チップケースの先端部位に電極付き基材が取り付けられて、その電極を介して皮膚に高周波エネルギーを供給して皮膚を飾る皮膚美容装置において、
前記チップケースの前方部の先端部位に取り付けられる基材に第１電極を形成し、前記チップケースの先端部位の周縁部から外側部まで第２電極が延設された
ことを特徴とする皮膚美容装置のチップ構造。
【請求項２】
前記第２電極は、メッキによって形成された
請求項１に記載の皮膚美容装置のチップ構造。
【請求項３】
前記第２電極は、チップケースの全体がメッキされて形成された
請求項１に記載の皮膚美容装置のチップ構造。
【請求項４】
前記第２電極は、チップケースの全体がメッキされた後にチップケースの外周に沿ってメッキ部位をカットしてメッキされた領域を分離させた
請求項１に記載の皮膚美容装置のチップ構造。
【請求項５】
前記基材は、上面に第１電極が配備され、下面は第２電極と電気的に接続されるように構成された
請求項１に記載の皮膚美容装置のチップ構造。
【請求項６】
チップケースの先端部位に電極が形成されて、その電極を介して皮膚に高周波エネルギーを供給して皮膚を飾る皮膚美容装置において、
前記チップケースの先端部位の周縁部を含む部位には、第２電極が形成され、前記チップケースの内側には、上面がドーム状または突出した曲面状を有する第１電極が取り付けられて、そのドーム状の上側がチップケースの先端に突出し、前記第１電極と第２電極は絶縁された
ことを特徴とする皮膚美容装置のチップ構造。
【請求項７】
前記第１電極は、導電性を有する金属材から形成された
請求項６に記載の皮膚美容装置のチップ構造。
【請求項８】
前記第２電極は、絶縁体製の基材の上にメッキが行われて形成された
請求項６に記載の皮膚美容装置のチップ構造。
【請求項９】
前記第１電極の外周とチップケースの内周との間に間隙が維持されて絶縁される
請求項６に記載の皮膚美容装置のチップ構造。
【請求項１０】
前記間隙には絶縁物質が充填された
請求項９に記載の皮膚美容装置のチップ構造。
【請求項１１】
前記第１電極の外周には突出部が形成され、前記チップケースの内周には段付部が形成されて、前記第１電極が段付部に載置された
請求項６に記載の皮膚美容装置のチップ構造。
【請求項１２】
前記段付部は、突出部の突出した長さよりもさらに突出して第１電極とチップケースとの間に間隙が形成されるように構成された
請求項１１に記載の皮膚美容装置のチップ構造。
【発明の詳細な説明】
【技術分野】
【０００１】
本発明は、皮膚美容装置に係り、特に、高周波を皮膚に伝えるチップの胴体に第２電極を形成して限られた空間において第１及び第２電極の広い接触面積を実現できるようにした皮膚美容装置のチップ構造に関する。
【背景技術】
【０００２】
皮膚美容と再生の方案として、コラーゲンの再成長を促すことにより効果を得ることが考えられるが、このような方案として、非侵襲法が挙げられる。
【０００３】
非侵襲法は、ＲＦ高周波を皮膚に照射して真皮層を加熱することにより上昇した真皮層の温度によってコラーゲンの生成が促される方法であり、単極性または両極性の電極を有するチップを用いて皮膚に高周波を照射する。
【０００４】
かような従来のチップは、例えば、下記の特許文献１の背景技術の欄に記載されている。同文献の図１に示すように、従来のチップは、プラスチック製のチップの胴体１の前方部の先端面には１枚のプリント回路基板（ＰＣＢ）の上に多数の（＋）電極６が格子状に所定の間隔置きに設けられており、前記（＋）電極６の外周に沿って（−）電極２、３、４、５が設けられているような構造を有する。
【０００５】
このため、（＋）電極６と（−）電極２、３、４、５との間には皮膚を介して高周波が流れて真皮層に高周波を供給することができる。
【０００６】
ところが、従来のチップは、その（＋）電極６と（−）電極２、３、４が限られた領域の胴体１の先端部に密集して形成されることにより、電極の面が非常に狭くて皮膚に密着できず、一部のみが接触された場合にはその接触された部位に電流の偏り現象が生じて過度な電流が流れるため皮膚組織を損傷させてしまうという問題点が発生する。
【先行技術文献】
【特許文献】
【０００７】
【特許文献１】大韓民国登録特許第１０−１０６５６５１号
【発明の概要】
【発明が解決しようとする課題】
【０００８】
本発明は従来のこのような問題点を解決するために案出されたものであり、その目的は、チップケースの先端部位に取り付けられるＰＣＢ、フレキシブルプリント回路基板（ＦＰＣＢ）などの基材上または導電体などに第１電極を形成し、チップケースの先端周辺部に第２電極を形成することにより、広い電極面積を提供できるようにした皮膚美容装置のチップ構造を提供することである。
【課題を解決するための手段】
【０００９】
上記の目的を達成するための本発明の皮膚美容装置のチップ構造は、チップケースの先端部位に電極付き基材が取り付けられてその電極を介して皮膚に高周波エネルギーを供給して皮膚を飾る皮膚美容装置において、前記チップケースの前方部の先端部位に取り付けられる基材に第１電極を形成し、前記チップケースの先端部位の周縁部を含む部位には第２電極が形成されたことを特徴とする。
【発明の効果】
【００１０】
このような構成を有する本発明は、チップケースに第２電極を形成し、チップケースの先端に第１電極付き基材を取り付けることにより、従来のチップの大きさと同じであっても広い電極面積が形成され、これにより皮膚接触面積が増大されて電流の偏り現象なしに円滑に高周波を印加することができるという効果がある。
【図面の簡単な説明】
【００１１】
【図１】従来の皮膚美容装置のチップ構造を示す斜視図
【図２】本発明によるチップ構造を示す斜視図
【図３】チップケースの形状を示す斜視図
【図４】チップケースの第２電極が形成された状態を示す斜視図
【図５】本発明の他の実施形態を示す斜視図
【図６】本発明のさらに他の実施形態を示す斜視図
【図７】本発明のさらに他の実施形態を示す正面図
【図８】本発明のさらに他の実施形態を示す斜視図
【発明を実施するための形態】
【００１２】
以下、添付図面に基づき、本発明による皮膚美容装置のチップ構造について詳細に説明する。
【００１３】
図２は、本発明によるチップの外観構造を示す図であり、プラスチックなどの絶縁体製のチップケース１００の先端部に第１電極２１０付き基材２００が取り付けられ、前記チップケース１００の先端部位の外周、すなわち、基材２００を載置するチップケース１００の周縁部にはメッキによって第２電極１１０が形成される。
【００１４】
このとき、基材２００としては、ＰＣＢ、ＦＰＣＢなどを用いることができ、第１電極２１０は基材２００の周縁部を除く領域に設けられて、チップケース１００に配備された第２電極１１０から離れて形成されることにより、基材２００の周縁部によって絶縁された状態である。
【００１５】
このような第２電極１１０はチップケース１００の前方部の外側部位まで延設されることにより、広くて安定した接触面積を有することができる。
【００１６】
図３は、基材２００が取り付けられておらず、且つ、まだメッキが行われていない状態のチップケース１００を示す図であり、プラスチック射出物から形成され、基材２００が取り付けられる前に、図４に示すように、チップケース１００の前方部位、すなわち、第２電極１１０を形成する部位をメッキ液に浸漬して先端部位、内側、外側にメッキを施すことにより第２電極１１０を形成する。
【００１７】
次いで、第２電極１１０付きチップケース１１０に、図２に示すように、第１電極２１０付き基材２００を載置して固定することにより、皮膚美容装置のチップが完成される。
【００１８】
このとき、前記基材２００は板状を呈し、上面に第１電極２１０が形成され、下面には接続端子が配備されてチップケース１００に形成された第２電極１１０と電気的に接続されることにより、一つの基材によって第１電極２１０と第２電極１１０がそれぞれの端子と接続される構造を有する。
【００１９】
一方、図５は、本発明の他の実施形態を示す図であり、チップケース１００のメッキ液に完全に浸漬して内側及び外側の両方にメッキを施した場合を示す図であり、この場合にも同様に、第２電極１１０がチップケース１００の全体に形成されて広くて安定した接触面積を有することになる。
【００２０】
図６は、本発明のさらに他の実施形態を示す図であり、図５でのようにチップケース１００の全体にメッキを行った後、第２電極１１０として用いる前方部位と第２電極として用いない後方部位１３０とに画成したものであり、第２電極１１０として用いる前方部位と第２電極として用いない後方部位１３０との間に境界部位１２０を形成して互いに絶縁させることにより電気的に接続されないようにする。
【００２１】
境界部位１２０は、レーザーまたは機械的加工によって境界部位１２０のメッキを除去することにょり形成される。
【００２２】
他の方案として、チップケース１００を二重射出によって形成することも考えられるが、第２電極１１０が形成される部位はメッキ用レジンによって射出成形し、後方部位１３０は非メッキ用レジンによって射出成形することにより、前記第２電極１１０が形成される部位のみをメッキによって伝導性を有するように形成することができる。
【００２３】
この場合、境界部位１２０の前方部位のみを第２電極１１０として用いて第１電極２１０と対応する面積を形成することにより、安定的に高周波を供給することができ、後方部位１３０はたとえ第２電極として用いないが、チップの外観にメッキが施されることによりプラスチック射出物がそのまま露出された場合よりも優れた見栄えを有することができる。
【００２４】
図７及び図８は、本発明のさらに他の実施形態を示す図であり、上下部が開放された筒体状のチップケース３００の先端部位の外周縁部を含む外側部にメッキによって第２電極３１０が形成され、前記チップケース３００には円柱状の胴体を有し、且つ、上面がドームまたは突出した曲面状に形成された硬質の第１電極３２０が取り付けられるが、前記チップケース３００の内周に沿っては段付部３３０が形成され、第１電極３２０の外周に沿っては外側に突出した突出部３２１が形成されて第１電極３２０がチップケース３００の上部から内側に嵌まり込みながら突出部３２１が段付部３３０に引っ掛かって載置される。
【００２５】
このとき、第１電極３２０はそのドームまたは突出した曲面状の上面がチップケース３００の先端よりも突出するように載置され、第１電極３２０のその外周がチップケース３００の内周とは間隙３４０を生じるような大きさを有し、その間隙３４０は段付部３３０によって維持される。
【００２６】
すなわち、前記突出部３２１の突出した幅よりも段付部３３０の突出した幅の方が広幅に形成されることにより、第１電極３２０とチップケース３００の第２電極３１０付き部位が互いに間隙３４０によって離隔されて絶縁状態を維持し、必要に応じては、その間隙３４０に絶縁物質を充填してもよい。
【００２７】
そして、第２電極３２０は、導電性を有する金属材であってもよく、あるいは、プラスチック製の基材の外側にメッキによって導電性を有する電極を形成してもよい。
【００２８】
また、第１電極３２０は、上面の表面にはビニールや樹脂などによってコーティング層が形成されることにより、第１電極３２０が皮膚と直接的に接触することなくコーティング層を介して間接的に皮膚と接触することにより、皮膚が保護される。
【００２９】
さらに、前記第２電極３１０は、上述した本発明の様々な実施形態として形成可能である。
【符号の説明】
【００３０】
１００：チップケース
１１０：第２電極
１２０：境界部位
１３０：後方部位
２００：ＰＣＢ
２１０：第１電極
【図１】
2014184138.tif 000003
【図２】
2014184138.tif 000004
【図４】
2014184138.tif 000005
【図８】
2014184138.tif 000006
【図３】
2014184138.tif 000007
【図５】
2014184138.tif 000008
【図６】
2014184138.tif 000009
【図７】
2014184138.tif 000010